(57)【要約】  骨を通って形成された止まり孔を測定する装置は、（ａ）近位端から遠位端まで延びるシャフトを含む、第１の細長いロッドであって、この遠位端は、そこから半径方向外側に延びる増加した直径の当接部を含み、当接部は、止まり孔の遠位開口部に隣接する骨の一部分と接触するように形成され、骨と固定された設定をとる近位面を含む、第１の細長いロッドと、（ｂ）近位端から遠位端まで、長手方向軸に沿って延びる第２の細長いロッドと、を含む。
2015504725.tif 000002
【特許請求の範囲】
【請求項１】
骨を通って形成された止まり孔を測定する装置であって、
近位端から遠位端まで延びるシャフトを含む第１の細長いロッドであって、前記遠位端は、そこから半径方向外側に延びる増加した直径の当接部を含み、前記当接部は、前記止まり孔の遠位開口部に隣接する前記骨の一部分と接触するように形成されて前記骨と固定された設定をとる、近位面を含む、第１の細長いロッドと、
近位端から遠位端まで、長手方向軸に沿って延びる第２の細長いロッドと、を備える、装置。
【請求項２】
前記第２の細長いロッドが、増加した直径のインサートを含み、前記インサートが、その内部を通って延びる溝を有し、前記溝は、その内部を通って前記第１のロッドを摺動可能に受け取るような寸法にされ、かつ成形されている、請求項１に記載の装置。
【請求項３】
前記溝の長手方向軸が、前記第２の細長いロッドの前記長手方向軸に平行に延びる、請求項２に記載の装置。
【請求項４】
前記インサートと前記第１のロッドの前記シャフトとの組み合わせた直径が、前記止まり孔の直径に実質的に等しい、請求項２に記載の装置。
【請求項５】
前記インサートと前記第１のロッドの前記シャフトとの組み合わせた直径が、前記止まり孔の直径よりも小さい、請求項３に記載の装置。
【請求項６】
内部を通じて延びる実質的に円筒形のチャネルを有して、前記第１及び前記第２の細長いロッドを摺動可能に受け取る、円筒形ハウジングを更に備える、請求項２に記載の装置。
【請求項７】
前記当接部が、三角形の断面を有する、請求項２に記載の装置。
【請求項８】
前記インサートの側壁上に形成された開口部を更に備え、前記開口部は前記溝に対して開いている、請求項２に記載の装置。
【請求項９】
前記溝が円筒の一部を形成する、請求項８に記載の装置。
【請求項１０】
前記当接部と前記溝の遠位端との係合により、前記インサートが前記当接部に対して遠位に移動するのを阻止する、請求項９に記載の装置。
【請求項１１】
前記インサートの長手方向軸が、前記第２のロッドの前記長手方向軸に平行に延び、かつ前記第２のロッドの前記長手方向軸から半径方向にオフセットされる、請求項２に記載の装置。
【請求項１２】
前記開口部の一部分を覆う薄壁を更に備え、前記開口部からの前記第１のロッドの横方向の取り外しを阻止する、請求項８に記載の装置。
【請求項１３】
前記インサートの遠位壁が、前記止まり孔内へのその挿入を案内するように角度が付けられている、請求項２に記載の装置。
【請求項１４】
前記インサートの近位壁は、前記止まり孔からのその取り外しを案内するように角度が付けられている、請求項１３に記載の装置。
【請求項１５】
前記第１のロッドが、前記第２のロッド内に摺動可能に受け取られる、請求項２に記載の装置。
【請求項１６】
前記第２のロッドの外壁上に形成された突起を更に備え、前記突起は、前記当接部の方向とは反対の方向で前記第２のロッドから半径方向外側に延びる、請求項１５に記載の装置。
【請求項１７】
前記突起が、前記止まり孔の遠くの皮質内に位置付けられると、前記当接部は、前記止まり孔内に近位に移動するのを阻止される、請求項１６に記載の装置。
【請求項１８】
前記第２のロッドが、前記第１のロッドを通って延びるチャネル内に摺動可能に受け取られ、前記チャネルは、前記ロッドの前記近位端から、前記ロッドの前記遠位端から隔てられた遠位開口部まで延びる、請求項１に記載の装置。
【請求項１９】
前記チャネルが、前記遠位開口部に隣接して位置付けられた斜面を含み、前記斜面は、前記第２のロッドがその遠位に移動するとき、前記第１のロッドの長手方向軸から離れて半径方向に前記第２のロッドを案内するように角度が付けられている、請求項１８に記載の装置。
【請求項２０】
前記第１及び前記第２のロッドのうちの一方の近位端が、前記止まり孔内への前記装置の挿入の深さを示すマーキングを含む、請求項１に記載の装置。
【請求項２１】
骨を通って形成された止まり孔の深さを測定するシステムであって
近位端から遠位端まで延びるシャフトを含む第１の細長いロッドであって、前記遠位端は、そこから半径方向外側に延びる増加した直径の当接部を含み、前記当接部は、前記止まり孔の遠位開口部に隣接する前記骨の一部分と接触するように形成されて前記骨と固定された設定をとる、近位面を含む、第１の細長いロッドと、
近位端から遠位端まで、長手方向軸に沿って延びる第２の細長いロッドであって、前記第２のロッドは、増加した直径のインサートを含み、前記インサートは、その内部を通って延びる溝を有し、前記溝は、その内部を通って前記第１のロッドを摺動可能に受け取るような寸法及び形状である、第２の細長いロッドと、
内部を通って延びる実質的に円筒形のチャネルを有して、前記第１及び前記第２の細長いロッドを摺動可能に受け取る、円筒形ハウジングと、を備える、システム。
【発明の詳細な説明】
【技術分野】
【０００１】
（関連出願の相互参照）
本願は、２０１１年１２月３０日出願の米国特許仮出願第６１／５８２，０２５号、発明の名称「Ｒｏｕｎｄ  Ｄｅｐｔｈ  Ｇａｕｇｅ」、２０１２年１１月１日出願の米国特許仮出願第６１／７２１，０４１号、発明の名称「深さゲージ」、及び２０１２年２月１５日出願の米国特許仮出願第６１／５９８，９２２号、発明の名称「Ｓｉｎｇｌｅ  Ｐａｔｉｅｎｔ  Ｕｓｅ  Ｄｅｐｔｈ  Ｇａｕｇｅ」の優先権を主張し、これらの全開示は本明細書に援用するものである。
【背景技術】
【０００２】
骨固定処置は、骨スクリューを横方向に骨に挿入することを必要とすることが多い。かかる場合において、骨を通って形成された孔の深さを査定することが不可欠である。従来の測定装置は、その端部に設けられた単一フックを有する、目盛り付きのロッドを含む。操作時に、このロッドは骨の孔を通って挿入され、骨の孔の反対側の端部から出た後、ロッドは、それがその反対側の端部に隣接する止まり縁部に当接するまで後退される。かかる装置の不利な点は、骨の孔の縁部の引っ掛ける工程が、特により小さな直径の孔を測定する際に非常に難しいということである。速く正確な測定をもたらす、孔の深さ測定機器が必要とされている。骨の孔の正確な測定を可能にするために、骨の孔の反対側の遠位縁部に固く係合する測定機器が更に必要とされている。
【発明の概要】
【課題を解決するための手段】
【０００３】
本発明は、骨を通って形成された止まり孔を測定する装置に関し、この装置は、近位端から遠位端まで延びるシャフトを含む、第１の細長いロッドであって、この遠位端は、そこから半径方向外側に延びる増加された直径の当接部を含み、当接部は、止まり孔の遠位開口部に隣接する骨の一部分と接触するように形成されて骨と固定された設定をとる、近位面を含む、第１の細長いロッドを備える。本発明に係る装置は、近位端から遠位端まで長手方向軸に沿って延びる第２の細長いロッドを更に備える。
【図面の簡単な説明】
【０００４】
【図１】本発明の代表的な実施形態に係る深さゲージプローブの斜視図を示す。
【図２】図１の深さゲージの分解図を示す。
【図３】図１の深さゲージの部分断面図を示す。
【図４】第１の手術の設定における図１の深さゲージの部分断面図を示す。
【図５】第２の手術の設定における図１の深さゲージの部分断面図を示す。
【図６】第３の手術の設定における図１の深さゲージの部分断面図を示す。
【図７】本発明の第１の代替的実施形態に係る深さゲージプローブの斜視図を示す。
【図８】図７の深さゲージの分解図を示す。
【図９】図７の深さゲージの側面図を示す。
【図１０】図７の深さゲージのインサートの部分断面図を示す。
【図１１】第１の手術の設定における本発明の第２の代替的実施形態に係る深さゲージの部分断面図を示す。
【図１２】第２の手術の設定における図１１の深さゲージの部分断面図を示す。
【図１３】第３の手術の設定における図１１の深さゲージの部分断面図を示す。
【図１４】第４の手術の設定における図１１の深さゲージの部分断面図を示す。
【図１５】第１の手術の設定における本発明の第３の代替的実施形態に係る深さゲージの部分断面図を示す。
【図１６】図１５の深さゲージの第１の斜視図を示す。
【図１７】図１５の深さゲージの第２の斜視図を示す。
【図１８】第２の手術の設定における図１５の深さゲージの部分断面図を示す。
【図１９】図１８の深さゲージの第１の斜視図を示す。
【図２０】図１８の深さゲージの第２の斜視図を示す。
【図２１】第３の手術の設定における図１５の深さゲージの部分断面図を示す。
【図２２】第４の手術の設定における図１５の深さゲージの部分断面図を示す。
【発明を実施するための形態】
【０００５】
以下の説明文及び付属の図面を参照することで本発明のより深い理解が得られるであろう。なお、図中、同様の要素は同じ参照符号により示されるものとする。本発明は、骨折ないしは別の方法で損傷した骨のための骨固定処置に従って、骨を通ってドリルで孔を開けられた孔の測定に関する。発明の代表的な実施形態は、止まり孔の深さを測定するための簡易かつ効果的なツールを提供するために、ドリルで孔が開けられた骨に挿入するためのプローブを説明する。本発明に係るプローブは、第１及び第２の細長く、実質的に円筒形のロッドを含む。第１のロッドは、細長いシャフトと、当接部から近位に延びるシャフトの一部分の直径よりも大きい直径を、第１のロッドの遠位端において有する当接部とを含む。当接部を止まり孔に挿入するために、当接部の直径は止まり孔の直径よりも小さい。第２のロッドは、その遠位端において増加された直径のインサートを有する細長いシャフトを含む。このインサートは、第１のロッドのシャフトを摺動可能に受け取るための、内部に延びる溝を含む。手術の設定では、第１のロッドは第２のロッドの溝内に摺動可能に受け取られる。次いでプローブは、骨を通って形成された孔の近位開口に位置付けられる。次いで第１のロッドは、第２のロッドに対して遠位に移動し、当接部を孔に通し、骨の遠位側から出す。当接部が孔の遠位開口部を通って遠位に移動すると、インサートと当接部が係合して第２ロッドが更に移動しないようになるまで、第２のロッドは、骨を通り孔の遠位開口部から出るように第１のロッドに対して遠位に移動する。この設定において、当接部とインサートの組み合わされた直径は、プローブが孔から外れて近位へ後退するのを妨ぐ。具体的には、この手術の設定において、当接部の近位に位置付けられた第１のロッド及び第２のロッドの一部分の組み合わされた直径は、止まり孔の直径よりも小さい。手術の設定において、当接部が止まり孔内に引き込まれるのを物理的に防ぐように、当接部は止まり孔の縁部を越えて半径方向外側に突出する。第１及び第２のロッドは次いで、遠位開口部に隣接する骨の一部分に当接部が当たるまで近位に移動される。次いで、第１及び第２のロッドの近位部分の上に設けられている実質的に円筒形のハウジングはハウジングの遠位端が、孔の近位開口部に当たるまで遠位に移動される。この設定において、第１及び第２のロッドの一方又は両方の上に設けられているマーキングは、骨へのプローブの挿入の深さ、したがって、骨の中に形成された孔の長さを示す。本発明に係る例示のプローブは、当接部と孔の遠位縁とをしっかりと係合させ、止まり孔の深さの正確な測定を可能にする。本明細書に使用されるとき、「近位」及び「遠位」という用語は、装置のユーザーに向かう（近位）及び離れる（遠位）方向を指すことに留意されたい。
【０００６】
図１〜３に示されているように、本発明の代表的な実施形態に係るプローブ１００は、近位端１０４から、細長いシャフト１０６に沿って、当接部１１０を含む遠位端１０８まで延びる第１のロッド１０２を含む。当接部１１０は、三角形の断面を有して形成されているが、他の形状が本発明の範囲から逸脱することなく使用されてもよい。代表的な実施形態では、当接部１１０の第１の近位面１１２は、実質的に平坦であり、かつ第１のロッド１０２の長手方向軸１１４に対して実質的に垂直に延びる。当業者が理解するように、この設定により、近位面１１２は手術の設定での骨（図示せず）の対向する壁に対して実質的に面一に当たることが可能になる。すなわち、代表的な方法に関して以下により詳細に説明されるように、近位面１１２は、骨との接触表面積を最大にするように角度が付けられている。近位面１１２は、実質的に矩形の断面を有する。反対側に位置する、当接部１１０の第２の側壁１１６は、当接部１１０が、横方向に１つの方向においてのみロッド１０２から突出するように、ロッド１０２とぴったり重なって配置される。この設定により、医師が又は他の使用者が、それを通じて第１のロッド１０２が挿入されるハウジング１１８に対して、当接部１１０の向きを制御することができるということを当業者は理解するだろう。ハウジング１１６は実質的に円筒形であり、その内部を通って延びるチャネル１２０を含む。当接部１１０の幅は、チャネル１２０の直径よりも小さいが、第１のロッド１０２が第２のロッド１２２のインサート１３０と係合するとき、当接部１１０がハウジング１１８を越えて半径方向外側に延びるような十分大きさになるように選択される。
【０００７】
第２のロッド１２２は、近位端１２４から、細長いシャフト１２６に沿って遠位端１２８まで延びる。遠位端１２８は、図１に示すように、第２のロッド１２２の長手方向軸からオフセットされた長手方向軸１３２に沿って延びる実質的に円筒形のインサート１３０を含む。インサート１３０は、長手方向にインサート１３０を通る溝１３６を更に含み、溝１３６の断面形状は実質的に円筒形であり、その内部に第１のロッド１０２の摺動可能な挿入を可能にするように選択される直径を有する。溝１３６は、インサート１３０の側壁を通って形成された開口部１３８に向かって開いている。開口部１３８は、溝１３６から第１のロッド１０２が外れないようにしながら、第１のロッド１０２の一部分がその外へと延びるのを可能にするような寸法である。具体的には、思いがけなく第１のロッド１０２が外へ外れないように、開口部１３８の幅は第１のロッド１０２の直径よりも小さい。第１のロッド１０２は、その長手方向軸に沿って軸方向に溝１３６に挿入され得る。代表的な方法に関して以下でより詳細に説明するが、インサート１３０の遠位端は、プローブ１００を骨の孔内に案内するように構成され、かつそのような寸法にされた角度の付いた壁１４０を含む。第１のロッド１０２及び第２のロッド１２２、並びにハウジング１１８のそれぞれの空間内における定位は、それと共に使用されるハンドル（図示せず）によって制御することができる。装置１００は、単回使用のために構成されてもよく、一方、ハンドルは（図示せず）、任意の複数の処置で使用してもよい。
【０００８】
図４〜６は、本発明に係る骨の孔の測定のための代表的な方法を示す。第１の代表的な工程で、プローブ１００は、第１のロッド１０２がインサート１３０の溝１３６内に受け取られた状態に組み立てられる。組み立てられた第１のロッド１０２及び第２のロッド１２２はハウジング１１８内に挿入され、図１に示すように、当接部１１０及びインサート１３０は、ハウジング１１８の遠位端を越えて遠位に延びている。次いで、骨１０の両側の皮質をドリルにより開けた骨の孔１２の近位開口部１４に、インサート１３０が位置付けられる。次いで図４に示されるように、第１のロッド１０２は、当接部１１０が骨の孔１２を出てその隣接する遠位開口部１６より遠位に延びるまで骨を通って遠位に前進する。次いで、角度の付けられた壁１４０と骨の孔１２の壁が係合することにより、プローブ１００と骨の孔１２の中央の長手方向軸との軸方向の整列が強化されるので、第２のロッド１２２は骨の孔１２を通って遠位に前進される。第２のロッド１２２は、当接部１１０の近位面１１２とインサート１３０の遠位端１２８とが係合することにより、その更なる遠位の移動を阻止するまで、第１のプローブ１０２に対して遠位に前進される。具体的には、当接部の近位面１１２の矩形の断面形状により、実質的に円筒形溝１３６（これは図３において仮想線で示されている）内に挿入されるのを阻止される。第２のロッド１２２が図５の設定まで移動されると、第１のロッド１０２は、近位面１１２と骨の孔１２の遠位開口部１６との係合が更なる後退を阻止するまで、近位に後退される。この工程中に、遠位に向けられた力は、第２のロッド１２２上で維持され、第１のロッドと第２のロッドの互いに対する空間的な関係を維持することが分かる。次いで図６に示されるように、ハウジング１１８は骨の孔の近位開口部１４に接触するように遠位に前進され、医師又は他の者がプローブ１００の挿入の深さ、つまり骨の孔１２の長さを正確に測定することを可能にする。具体的には、第１のロッド１０２及び第２のロッド１２２のいずれか又は両方は、骨１０内へのプローブ１００の挿入の深さに対応するマーキング（図示せず）が提供されてもよい。１つの非限定的な実施例において、第１のロッド１０２又は第２のロッド１２２上の、ハウジング１１８の近位端と整列するマーキングは、骨の孔１２の長さを示してもよい。
【０００９】
骨からプローブ１００を取り外すために、第２のロッド１２２上で遠位に向けられた力は取り除かれ、第２のロッド１２２は、インサート１３０が骨の孔１２から近位に外されるまで近位に移動される。この後退は、骨の孔１２内に十分な空間を提供し、当接部１１０が骨の孔１２内に移動されるのを可能にし、第１のロッド１０２が骨の孔１２から外へ近位に移動され、身体から取り出されるようにする。
【００１０】
図７〜９に示されているように、本発明の第１の代替の実施形態に係るプローブ２００は、以下に記載されているものを除いてプローブ１００と実質的に類似であり、ここでは同様の要素は同様の参照数字で参照されている。プローブ２００は、その遠位端において当接部１１０を含む第１のロッド１０２と、ハウジング１１８を含む。プローブ２００は、第２のロッド１２２に実質的に類似であり、近位端２２４から細長いシャフト２２６に沿って、インサート２３０を含む遠位端２２８まで延びる第２のロッド２２２を更に含む。インサート２３０は、その内部を通って長手方向に延び、開口部２３８に対して開いている溝２３６を含む。しかしながら、開口部２３８の一部分は、溝２３６から外へ第１のロッド１０２が不慮に外れるのを防ぐように構成され、かつそのような寸法とされる薄壁２３９によって包囲される。この実施形態において、第１のロッド１０２は、その近位端１０４を軸方向に溝２３６の遠位端に向かって摺動させることによって溝２３６内に挿入される。壁２３９は、図１０によりはっきりと示されているように、第１のロッド１０２のシャフト１０６の寸法に適合する寸法を有する、実質的に円筒形の開口部を囲むように選択された湾曲で形成される。プローブ２００の使用の代表的な方法は、先により詳細に説明したように、プローブ１００のものと実質的に類似である。
【００１１】
図１１〜１４は、本発明の他の実施形態に係るプローブ３００を示し、プローブ３００は、以下の記載を除き、プローブ１００と実質的に同様に形成されている。プローブ３００は、近位端（図示せず）から細長いシャフト３０６に沿って、当接部３１０を有する遠位端３０８まで延びる第１のロッド３０２を含む。シャフト３０６は、実質的に円筒形の断面で形成されているが、他の断面形状が本発明の範囲から逸脱することなく使用されてもよい。当接部３１０は、実質的にそれに垂直に延びる角度における方向においてのみ、第１のロッド３０２から離れて半径方向に延びる。代表的な実施形態では、当接部３１０は第１のロッド１０２と一体形成される。代替の実施形態では（図示せず）、当接部３１０は、第１のロッド１０２とは別個に形成されて、当該技術分野において既知の取り付けメカニズム（例、溶接、接着剤等）を使用してそこに取り付けられてもよい。
【００１２】
プローブ３００は、近位端（図示せず）から、実質的に円筒形シャフト３２６に沿って遠位端３２８まで延びる、細長い実質的に円筒形のエレメントとして、第２のロッド３２２を更に含む。チャネル３２４は、第２のロッド３２２を通じて延び、チャネル３２４はその内部を通って第１のロッド３０２を受け取るような寸法である。第２のロッドの遠位端は、所定の距離によって遠位端３２８から近位に延びる凹部３３０を含む。凹部３３０は、当接部３１０がその内部に摺動可能に挿入するのを可能にする。近位端において、凹部３３０は、骨の孔１２内への第２のロッド３２２の挿入を案内するような角度の付けられた、角度の付いた壁３３２において終端する。凹部３３０の反対側の第２のロッド３２２の外壁は、シャフト３２６から半径方向外側に延びる、増加した厚さの突出部３３４を含む。代表的な実施形態では、突出部３３４は、第２のロッド３２２と突出部３３４との組み合わされた直径が、骨の孔１２の厚さと実質的に等しくなるように選択された厚さを有する。当業者が理解するように、以下の代表的な方法に関してより詳細に説明されるように、この設定は第２のロッド３２２が手術の設定において骨の孔１２に摩擦嵌めできるようにする。突出部３３４の遠位壁３４０は、先の実施形態でより詳細に説明したように、骨の孔１２内への第２のロッド３２２の挿入を案内するように角度が付けられている。同様に、突出部３３４の近位壁３４２も、骨の孔１２から第２のロッド３２２の取り外しを案内するように角度が付けられている。
【００１３】
プローブ３００は、ハウジング１１８に実質的に同様に形成されたスリーブ３１８を更に備える。具体的には、スリーブ３１８は実質的に円筒形であり、その内部を通って延びる実質的に円筒形のチャネルを含み（図示せず）、このチャネルの直径は、第２のロッド３２２と突出部３３４との組み合わされた直径以上である。
【００１４】
本発明の代表的な方法により、第１のロッド３０２はまず、第２のロッド３２２のチャネル３２４を通じて摺動可能に挿入される。第２のロッド３２２の遠位端３２８は、骨の孔１２の近位開口部１４に対して位置付けられ、一方、図１１に示されるように当接部３１０が遠位開口部１６まで遠位に移動するまで、第１のロッド３０２はそれに対して軸方向に骨の孔１２内に移動される。第２のロッド３２２は次いで、図１２に示されるように、突出部３３４が当接部３１０に隣接して位置付けられるまで、第１のロッド３０２に対して遠位に移動される。この位置は、プローブ３００に接続されたハンドル（図示せず）に設けられたハード停止部によって、医師又は他のユーザーに示される。具体的には、ハンドル（図示せず）は、第２のロッド３２２の突出部３３４が、第１のロッド３０２の当接部３１０に対して遠位に前進することができないように構成される。具体的には、この設定において、シャフト３２６は骨の孔１２の近くの皮質に係合し、一方、突出部３３４は骨の孔１２の遠くの皮質を係合する。この位置は、摩擦による抵抗が取り除かれるまで、突出部３３４を遠くの皮質を越えて遠くに前進させることによって手動で確認することができる。第２のロッド３２２は次いで、突出部３３４が遠くの皮質内に摺動して戻るように、短距離で近位に移動される。図１３に示されるように、第２のロッド３２２は次いで定位置に保持され、一方、当接部３１０の近位面３１２が骨の孔１２の遠位開口部１６に係合し、その更なる後退を阻止するまで、第１のロッド３０２は近位に移動される。図１４に示されているように、スリーブ３１８は次いで骨の孔１２の近位開口部１４に接触するように遠位に前進され、医師又は他のユーザーが、先の実施形態でより詳細に説明したように（例、マーキングによって）、プローブ３００の挿入深さ、したがって骨の孔１２の長さを正確に測定できるようにする。
【００１５】
図１５〜２２は、本発明の更に他の実施形態に係るプローブ４００を示し、プローブ４００は、以下の記載を除いてプローブ１００、２００、３００と実質的に同様に形成される。プローブ４００は、第１のロッド１０２、２０２、３０２と実質的に同様に形成された第１のロッド４０２を備える。具体的には、第１のロッド４０２は近位端（図示せず）から、細長いシャフト４０６に沿って、シャフト４０６の長手方向軸に実質的に垂直に延びる当接部４１０を有する遠位端４０８まで延びる。当接部４１０を含む遠位端４０８の厚さは、骨の孔１２の厚さと実質的に同様である。第１のロッド４０２は、図１５〜１７に示されるように、その内部を通って延び、第２のロッド４２２をその中に摺動可能に受け取るように構成された円筒形チャネル４０３を更に含む。第１のロッド４０２は、遠位端４０８付近に位置付けられた開口部４０５を含む。斜面４０７は、チャネル４０３から開口部４０５まで延び、第２のロッド４２２がそれを越えて遠位に移動されるとき、チャネルから外に第２のロッド４２２を案内する。斜面４０７は、第１のロッド４０２の長手方向軸に対してある角度において、そこから外へ第２のロッド４２２を案内するように角度が付けられている。具体的には、第２のロッド４２２が当接部４１０の反対側方向において第１のロッド４０２から外に角度が付けられるように、斜面４０７は角度が付けられる。したがって、第２のロッド４２２が開口部４０５から外に遠位に移動されるとき、第１のロッド４０２の遠位端４０８は、第２のロッド４２２の遠位端４２８から離れて半径方向に移動される。
【００１６】
本発明に係る代表的な方法に従って、その遠位端４２４が開口部（図示せず）に近位に配置されるように、第２のロッド４２２は、第１のロッド４０２のチャネル（図示せず）を通じて摺動可能に挿入される。第１のロッド４０２は次いで、図１５に示すように当接部４１０が遠位開口部１６の遠位に移動するまで、スリーブ４１８を通って軸方向に骨の孔１２内に移動される。第２のロッド４２２は次いで、遠位端４２４が開口部（図示せず）から外に遠位に移動され、斜面（図示せず）によって案内され、図１６に示すように骨の孔１２の遠位開口部１６から外に遠位に延びるまで、第１のロッド４０２に対して遠位に移動される。この位置付けは、先により詳細に説明したように、プローブ４００に接続されたハンドル（図示せず）に設けられたハードストップによって医師に検証される。この構成において、第１のロッド４０２の遠位端４０８及び第のロッド４２２の遠位端４２４の組み合わされた直径は、骨の孔の直径よりも大きく、したがってプローブ４００の近位への後退を阻止する。図１７に示すように、第２のロッド４２２は次いで定位置に保持され、一方、第１のロッド４０２は、当接部４１０の近位面４１２が骨の孔１２の遠位開口部１６に係合し、その更なる後退を防ぐまで近位に移動される。図１８に示すように、スリーブ４１８は次いで遠位に前進され、骨の孔１２の近位開口部１４に接触し、先の実施形態で詳細に説明したように（例、マーキングによって）、医師又は他のユーザーが、プローブ４００の挿入の深さ、したがって骨の孔１２の長さを正確に測定するのを可能にする。
【００１７】
本発明の趣旨及び範囲から逸脱することなく、本発明の構成及び方法に対して様々な修正及び変形を加えることができることは当業者には明らかであろう。したがって、本発明の改変及び変更が、付属する特許請求の範囲及びそれらの均等物の範囲に含まれるものであれば本発明はそれらを包含するものとする。
【００１８】
〔実施の態様〕
（１）  骨を通って形成された止まり孔を測定する装置であって、
近位端から遠位端まで延びるシャフトを含む第１の細長いロッドであって、前記遠位端は、そこから半径方向外側に延びる増加した直径の当接部を含み、前記当接部は、前記止まり孔の遠位開口部に隣接する前記骨の一部分と接触するように形成されて前記骨と固定された設定をとる、近位面を含む、第１の細長いロッドと、
近位端から遠位端まで、長手方向軸に沿って延びる第２の細長いロッドと、を備える、装置。
（２）  前記第２の細長いロッドが、増加した直径のインサートを含み、前記インサートが、その内部を通って延びる溝を有し、前記溝は、その内部を通って前記第１のロッドを摺動可能に受け取るような寸法にされ、かつ成形されている、実施態様１に記載の装置。
（３）  前記溝の長手方向軸が、前記第２の細長いロッドの前記長手方向軸に平行に延びる、実施態様２に記載の装置。
（４）  前記インサートと前記第１のロッドの前記シャフトとの組み合わせた直径が、前記止まり孔の直径に実質的に等しい、実施態様２に記載の装置。
（５）  前記インサートと前記第１のロッドの前記シャフトとの組み合わせた直径が、前記止まり孔の直径よりも小さい、実施態様３に記載の装置。
【００１９】
（６）  内部を通じて延びる実質的に円筒形のチャネルを有して、前記第１及び前記第２の細長いロッドを摺動可能に受け取る、円筒形ハウジングを更に備える、実施態様２に記載の装置。
（７）  前記当接部が、三角形の断面を有する、実施態様２に記載の装置。
（８）  前記インサートの側壁上に形成された開口部を更に備え、前記開口部は前記溝に対して開いている、実施態様２に記載の装置。
（９）  前記溝が円筒の一部を形成する、実施態様８に記載の装置。
（１０）  前記当接部と前記溝の遠位端との係合により、前記インサートが前記当接部に対して遠位に移動するのを阻止する、実施態様９に記載の装置。
【００２０】
（１１）  前記インサートの長手方向軸が、前記第２のロッドの前記長手方向軸に平行に延び、かつ前記第２のロッドの前記長手方向軸から半径方向にオフセットされる、実施態様２に記載の装置。
（１２）  前記開口部の一部分を覆う薄壁を更に備え、前記開口部からの前記第１のロッドの横方向の取り外しを阻止する、実施態様８に記載の装置。
（１３）  前記インサートの遠位壁が、前記止まり孔内へのその挿入を案内するように角度が付けられている、実施態様２に記載の装置。
（１４）  前記インサートの近位壁は、前記止まり孔からのその取り外しを案内するように角度が付けられている、実施態様１３に記載の装置。
（１５）  前記第１のロッドが、前記第２のロッド内に摺動可能に受け取られる、実施態様２に記載の装置。
【００２１】
（１６）  前記第２のロッドの外壁上に形成された突起を更に備え、前記突起は、前記当接部の方向とは反対の方向で前記第２のロッドから半径方向外側に延びる、実施態様１５に記載の装置。
（１７）  前記突起が、前記止まり孔の遠くの皮質内に位置付けられると、前記当接部は、前記止まり孔内に近位に移動するのを阻止される、実施態様１６に記載の装置。
（１８）  前記第２のロッドが、前記第１のロッドを通って延びるチャネル内に摺動可能に受け取られ、前記チャネルは、前記ロッドの前記近位端から、前記ロッドの前記遠位端から隔てられた遠位開口部まで延びる、実施態様１に記載の装置。
（１９）  前記チャネルが、前記遠位開口部に隣接して位置付けられた斜面を含み、前記斜面は、前記第２のロッドがその遠位に移動するとき、前記第１のロッドの長手方向軸から離れて半径方向に前記第２のロッドを案内するように角度が付けられている、実施態様１８に記載の装置。
（２０）  前記第１及び前記第２のロッドのうちの一方の近位端が、前記止まり孔内への前記装置の挿入の深さを示すマーキングを含む、実施態様１に記載の装置。
【００２２】
（２１）  骨を通って形成された止まり孔の深さを測定するシステムであって
近位端から遠位端まで延びるシャフトを含む第１の細長いロッドであって、前記遠位端は、そこから半径方向外側に延びる増加した直径の当接部を含み、前記当接部は、前記止まり孔の遠位開口部に隣接する前記骨の一部分と接触するように形成されて前記骨と固定された設定をとる、近位面を含む、第１の細長いロッドと、
近位端から遠位端まで、長手方向軸に沿って延びる第２の細長いロッドであって、前記第２のロッドは、増加した直径のインサートを含み、前記インサートは、その内部を通って延びる溝を有し、前記溝は、その内部を通って前記第１のロッドを摺動可能に受け取るような寸法及び形状である、第２の細長いロッドと、
内部を通って延びる実質的に円筒形のチャネルを有して、前記第１及び前記第２の細長いロッドを摺動可能に受け取る、円筒形ハウジングと、を備える、システム。
（２２）  骨を通って形成される止まり孔の深さを測定する方法であって、
第１の細長いロッドの遠位端において配置された、増加された直径の当接部が前記止まり孔の遠位開口部の遠位に位置付けられるように、前記第１のロッドを、前記止まり孔内へ続く近位開口部内へ、かつ前記遠位開口部から外へと挿入する工程と、
第２の細長いロッドを、その遠位端が前記当接部に隣接して位置付けられるように、前記第１のロッドに対して摺動可能に移動させる工程であって、前記当接部と前記第２のロッドの前記遠位端との組み合わされた直径が、前記遠位開口部の直径よりも大きい、工程と、
前記当接部が前記遠位開口部に対して寄りかかるまで、前記第１のロッドを近位に後退させる工程と、
内部に前記第１及び前記第２のロッドの近位長さを包み込むハウジングが前記止まり孔の深さに対応するマーキングと整列するように、前記ハウジングの遠位端が前記近位開口部に接触するまで、前記ハウジングを遠位に前進させる工程と、を含む、方法。
（２３）  前記第１のロッドを近位に後退させながら、前記第２のロッドの軸位置を維持する工程を更に含む、実施態様２２に記載の方法。
（２４）  前記第１のロッドを通じて形成された開口部から外に、前記第２のロッドを遠位に前進させる工程を更に含み、前記第２のロッドが遠位に移動するとき、前記開口部に隣接して設けられた斜面により、前記第２のロッドを前記第１のロッドの長手方向軸から半径方向外側に移動させる、実施態様２２に記載の方法。
（２５）  前記第２のロッドの前記遠位端において設けられた、増加した直径のインサートを、前記止まり孔の遠くの皮質内に位置づける工程を更に含む、実施態様２２に記載の方法。
【図１】
2015504725.tif 000003
【図２】
2015504725.tif 000004
【図３】
2015504725.tif 000005
【図４】
2015504725.tif 000006
【図５】
2015504725.tif 000007
【図６】
2015504725.tif 000008
【図７】
2015504725.tif 000009
【図８】
2015504725.tif 000010
【図９】
2015504725.tif 000011
【図１０】
2015504725.tif 000012
【図１１】
2015504725.tif 000013
【図１２】
2015504725.tif 000014
【図１３】
2015504725.tif 000015
【図１４】
2015504725.tif 000016
【図１５】
2015504725.tif 000017
【図１６】
2015504725.tif 000018
【図１７】
2015504725.tif 000019
【図１８】
2015504725.tif 000020
【図１９】
2015504725.tif 000021
【図２０】
2015504725.tif 000022
【図２１】
2015504725.tif 000023
【図２２】
2015504725.tif 000024
【国際調査報告】
2015504725.tif 000025
2015504725.tif 000026
2015504725.tif 000027